(57)【要約】【課題】従来、情報の２種類以上の出力先の候補が存在する場合、出力先に応じた適切なセキュリティーが確保できなかった。【解決手段】情報を格納し得る格納部と、情報を出力する指示であり、２種類以上の出力先の候補のうちの一の種類の出力先に出力する指示である出力指示を受け付ける受付部と、出力先の種類に応じて、認証処理を行うまたは認証処理を行わない、または出力先の種類に応じて、異なる認証方法により、認証処理を行う認証部と、認証部が、出力先の種類に応じて認証処理を行わない場合は、出力指示に従って情報を出力し、認証部が、出力先の種類に応じて認証処理を行う場合であり認証許可の結果を得た場合は、情報を、一の種類の出力先に出力する出力部とを具備する情報処理装置により、情報の２種類以上の出力先の候補が存在する場合、出力先に応じた適切なセキュリティーが確保できる。【選択図】図１
2015082211.tif 000002
【特許請求の範囲】
【請求項１】
情報を格納し得る格納部と、
前記情報を出力する指示であり、２種類以上の出力先の候補のうちの一の種類の出力先に出力する指示である出力指示を受け付ける受付部と、
前記出力先の種類に応じて、認証のための処理を行うまたは認証のための処理を行わない、または前記出力先の種類に応じて、異なる認証方法に対応する認証のための処理を行う認証部と、
前記認証部が、前記出力先の種類に応じて認証のための処理を行わない場合は、前記出力指示に従って前記情報を出力し、前記認証部が、前記出力先の種類に応じて認証のための処理を行う場合であり認証許可の結果を得た場合は、前記情報を、前記一の種類の出力先に出力する出力部とを具備する情報処理装置。
【請求項２】
前記出力先の種類に応じて、前記出力指示に対応する情報に処理を施し、処理後情報を取得する処理部をさらに具備し、
前記出力部は、
前記処理後情報を前記一の種類の出力先に出力する請求項１記載の情報処理装置。
【請求項３】
前記２種類以上の出力先への出力は、
サーバ装置への送信、およびローカルディスクへの蓄積を含み、
前記認証部は、
前記２種類以上の出力先への出力が前記サーバ装置への送信の場合、第一の認証方法に対応する認証のための処理を行い、前記２種類以上の出力先への出力が前記ローカルディスクへの蓄積の場合、認証のための処理を行わない請求項１または請求項２記載の情報処理装置。
【請求項４】
前記２種類以上の出力先の候補のうちの一の種類の出力先は、
一のメニュー画面から選択可能であり、
前記受付部は、
前記一のメニュー画面から選択された一の種類の出力先に出力する指示である出力指示を受け付ける請求項１から請求項２いずれか一項に記載の情報処理装置。
【請求項５】
前記情報は、
会計情報または財務情報である業務用の情報である請求項１から請求項４いずれか一項に記載の情報処理装置。
【請求項６】
前記情報は、
会計情報または財務情報である業務用の情報であり、
前記サーバ装置は、
情報を格納し得るサーバ格納部と、
前記情報処理装置から情報を受信するサーバ受信部と、
前記情報を前記サーバ格納部に蓄積するサーバ蓄積部と、
携帯端末装置から前記情報のアクセス命令を受け付けるサーバ受付部と、
前記アクセス命令に従って、前記携帯端末装置に前記情報を送信するサーバ送信部とを具備する、請求項１から請求項５いずれか一項に記載の情報処理装置。
【請求項７】
受付部、認証部、出力部により実現され得る情報処理方法であって、
前記受付部が、記録媒体に格納されている情報を出力する指示であり、２種類以上の出力先の候補のうちの一の種類の出力先に出力する指示である出力指示を受け付ける受付ステップと、
前記認証部が、前記出力先の種類に応じて、認証のための処理を行うまたは認証のための処理を行わない、または前記出力先の種類に応じて、異なる認証方法に対応する認証のための処理を行う認証ステップと、
前記出力部が、前記認証ステップで、前記出力先の種類に応じて認証のための処理を行わない場合は、前記出力指示に従って前記情報を出力し、前記認証ステップで、前記出力先の種類に応じて認証のための処理を行う場合であり認証許可の結果を得た場合は、前記情報を、前記一の種類の出力先に出力する出力部
【請求項８】
コンピュータを、
記録媒体に格納されている情報を出力する指示であり、２種類以上の出力先の候補のうちの一の種類の出力先に出力する指示である出力指示を受け付ける受付部と、
前記出力先の種類に応じて、認証のための処理を行うまたは認証のための処理を行わない、または前記出力先の種類に応じて、異なる認証方法に対応する認証のための処理を行う認証部と、
前記認証部が、前記出力先の種類に応じて認証のための処理を行わない場合は、前記出力指示に従って前記情報を出力し、前記認証部が、前記出力先の種類に応じて認証のための処理を行う場合であり認証許可の結果を得た場合は、前記情報を、前記一の種類の出力先に出力する出力部として機能させるためのプログラム。
【発明の詳細な説明】
【技術分野】
【０００１】
本発明は、２種類以上の出力先の候補のうち、選択された一の種類の出力先に応じた適切なセキュリティーの確保が可能な情報処理装置等に関するものである。
【背景技術】
【０００２】
従来、ＳａａＳ型汎用会計処理システムがあった（特許文献１参照）。本システムは、日々発生する多種多様な経済取引の情報群を仕訳対象として、それらの情報入力及び仕訳作業を自動化することが可能なＳａａＳ型汎用会計処理システムである。また、さらに具体的には、本システムは、金融機関／電子マネー／クレジット／ベンダ／の各システムを含む各事業者システムから当該企業の仕訳対象データをネットワーク経由で取得する手段と、取得した仕訳対象データ内の取引明細情報と仕訳用のマッチング情報との照合に基づいて前記仕訳対象データ内の当該取引の仕訳パターンを自動判別する手段と、自動判別ができた場合には判別された仕訳パターンに基づいて当該取引の仕訳処理を自動で行い、自動判別ができなかった場合には仕訳情報入力画面上で入力されたユーザ入力データに基づいて当該取引の仕訳処理を自動で行う手段と、仕訳情報入力画面上で入力されたユーザ入力データをマッチング情報として自動的に追加設定する手段と、を備えたシステムである。
【先行技術文献】
【特許文献】
【０００３】
【特許文献１】特開２０１１−１７０４９０号公報（第１頁、第１図等）
【発明の概要】
【発明が解決しようとする課題】
【０００４】
しかしながら、従来のシステムにおいては、情報の２種類以上の出力先の候補が存在する場合、出力先に応じた適切なセキュリティーが確保できなかった。
【課題を解決するための手段】
【０００５】
本第一の発明の情報処理装置は、情報を格納し得る格納部と、情報を出力する指示であり、２種類以上の出力先の候補のうちの一の種類の出力先に出力する指示である出力指示を受け付ける受付部と、出力先の種類に応じて、認証のための処理を行うまたは認証のための処理を行わない、または出力先の種類に応じて、異なる認証方法に対応する認証のための処理を行う認証部と、認証部が、出力先の種類に応じて認証のための処理を行わない場合は、出力指示に従って情報を出力し、認証部が、出力先の種類に応じて認証のための処理を行う場合であり認証許可の結果を得た場合は、情報を、一の種類の出力先に出力する出力部とを具備する情報処理装置である。
【０００６】
かかる構成により、情報の２種類以上の出力先の候補が存在する場合、出力先の種類に応じた適切なセキュリティーが確保できる。
【０００７】
また、本第二の発明の情報処理装置は、第一の発明に対して、出力先の種類に応じて、出力指示に対応する情報に処理を施し、処理後情報を取得する処理部をさらに具備し、出力部は、処理後情報を一の種類の出力先に出力する情報処理装置である。
【０００８】
かかる構成により、情報の２種類以上の出力先の候補が存在する場合、出力先の種類に応じた情報の加工を行ったうえで、情報を出力できる。
【０００９】
また、本第三の発明の情報処理装置は、第一または第二の発明に対して、２種類以上の出力先への出力は、サーバ装置への送信、およびローカルディスクへの蓄積を含み、認証部は、２種類以上の出力先への出力がサーバ装置への送信の場合、第一の認証方法に対応する認証のための処理を行い、２種類以上の出力先への出力がローカルディスクへの蓄積の場合、認証のための処理を行わない情報処理装置である。
【００１０】
かかる構成により、サーバ装置およびローカルディスクを含む情報の２種類以上の出力先の候補が存在する場合、出力先の種類に応じた適切なセキュリティーが確保できる。
【００１１】
また、本第四の発明の情報処理装置は、第一から第二いずれかの発明に対して、２種類以上の出力先の候補のうちの一の種類の出力先は、一のメニュー画面から選択可能であり、受付部は、一のメニュー画面から選択された一の種類の出力先に出力する指示である出力指示を受け付ける情報処理装置である。
【００１２】
かかる構成により、情報の２種類以上の出力先の候補が存在する場合、出力先の種類に応じた適切なセキュリティーが容易に確保できる。
【００１３】
また、本第五の発明の情報処理装置は、第一から第四いずれかの発明に対して、情報は、会計情報または財務情報である業務用の情報である情報処理装置である。
【００１４】
かかる構成により、高いセキュリティーが要求される業務用の情報について、情報の２種類以上の出力先の候補が存在する場合、出力先の種類に応じた適切なセキュリティーが確保できる。
【００１５】
また、本第六の発明の情報処理装置は、第一から第五いずれかの発明に対して、情報は、会計情報または財務情報である業務用の情報であり、サーバ装置は、情報を格納し得るサーバ格納部と、情報処理装置から情報を受信するサーバ受信部と、情報をサーバ格納部に蓄積するサーバ蓄積部と、携帯端末装置から情報のアクセス命令を受け付けるサーバ受付部と、アクセス命令に従って、携帯端末装置に情報を送信するサーバ送信部とを具備する、情報処理装置である。
【００１６】
かかる構成により、情報型ワークスタイルによる業務用の情報の取り扱い処理が実現できる。なお、情報型ワークスタイルとは、会計情報または財務情報等の業務用の情報を、会社内だけではなく、外出先や家でも、セキュリティーを確保しつつ適切に閲覧、利用等できるワークスタイルである。また、情報型ワークスタイルは、業務担当者以外の方、例えば、経営者層の方々にスピーディに情報を提供できる仕組みである、と言える。
【発明の効果】
【００１７】
本発明による情報処理装置によれば、情報の２種類以上の出力先の候補が存在する場合、出力先の種類に応じた適切なセキュリティーが確保できる。
【図面の簡単な説明】
【００１８】
【図１】実施の形態１における情報システムの概念図
【図２】同情報システムのブロック図
【図３】同情報処理装置１の動作について説明するフローチャート
【図４】同格納部１１に格納されている表を示す図
【図５】同格納部１１に格納されている表を示す図
【図６】同出力前処理情報管理表を示す図
【図７】同メニュー画面を示す図
【図８】同画面例を示す図
【図９】同画面の遷移を示す図
【図１０】同画面の遷移を示す図
【図１１】同コンピュータシステムの概観図
【図１２】同コンピュータシステムのブロック図
【発明を実施するための形態】
【００１９】
以下、情報処理装置等の実施形態について図面を参照して説明する。なお、実施の形態において同じ符号を付した構成要素は同様の動作を行うので、再度の説明を省略する場合がある。
【００２０】
（実施の形態１）
本実施の形態において、情報の２種類以上の出力先の候補が存在する場合、出力先の種類に応じた適切なセキュリティーが確保できる情報システムについて説明する。
【００２１】
また、本実施の形態において、出力先の種類に応じて、出力の前に、情報を出力先に対応する加工を行う情報システムについて説明する。
【００２２】
また、本実施の形態において、サーバ装置に送信する場合は認証処理が必要であり、ローカルディスクへ蓄積する場合は認証処理が不要である情報システムについて説明する。
【００２３】
また、本実施の形態において、一のメニュー画面を用いて、２種類以上の出力先の種類の候補から、一の種類の出力先が選択可能である情報システムについて説明する。
【００２４】
また、本実施の形態において、情報は、会計情報または財務情報である業務用の情報である情報システムについて説明する。
【００２５】
さらに、本実施の形態において、情報型ワークスタイルのモデルを実現する情報システムについて説明する。
【００２６】
図１は、本実施の形態における情報システムの概念図である。情報システムは、１以上の情報処理装置１、１以上のサーバ装置２、１以上の携帯端末装置３を備える。情報処理装置１は、例えば、職場に設置されている、いわゆるパーソナルコンピュータである。また、携帯端末装置３は、例えば、いわゆるスマートフォン、携帯電話、タブレット端末等の携帯用の端末である。
【００２７】
図２は、本実施の形態における情報システムのブロック図である。情報システムを構成する情報処理装置１は、格納部１１、受付部１２、認証部１３、出力部１４、および処理部１５を備える。
【００２８】
また、サーバ装置２は、サーバ格納部２１、サーバ受信部２２、サーバ蓄積部２３、サーバ受付部２４、およびサーバ送信部２５を備える。
【００２９】
さらに、携帯端末装置３は、端末受付部３１、端末送信部３２、端末受信部３３、および端末出力部３４を備える。
【００３０】
情報処理装置１を構成する格納部１１は、１または２以上の情報を格納し得る。ここで、情報は、財務会計情報や在庫管理情報などの基幹業務に関する情報であることは好適である。業務用の情報は、例えば、元帳や財務諸表などの業務に関する管理資料等である。また、情報は、表であることが好適である。情報は、例えば、ファイルであるが、データベースの表等でも良い。つまり、情報のデータ構造やタイプ等は問わない。
【００３１】
また、格納部１１は、２種類以上の出力先の候補を識別する２以上の出力先候補識別子等を格納していても良い。また、格納部１１は、出力先候補識別子と認証方法を識別する認証方法識別子とを有する２以上の出力前処理情報を格納していても良い。なお、出力前処理情報は、処理部１５が行う処理を識別する処理識別子を有していても良い。また、出力前処理情報は、情報の出力前に行うべき処理を特定する情報である。また、認証方法識別子は、認証のための処理を識別する情報である、とも言える。
【００３２】
受付部１２は、指示や情報を受け付ける。指示は、例えば、出力指示である。出力指示は、格納部１１の情報を出力する指示である。また、出力指示は、２種類以上の出力先の候補のうちの一の種類の出力先に出力する指示である。ここで、出力先の種類とは、例えば、サーバ装置２、ローカルディスク、メールサーバ、プリンタ、画面等である。また、出力とは、外部の装置への送信、記録媒体への蓄積、他の処理装置や他のプログラムなどへの処理結果の引渡し、プリンタでの印字、音出力、表示などを含む概念である。
【００３３】
また、２種類以上の出力先の候補とは、一のメニュー画面から選択可能であることは好適である。つまり、受付部１２は、一のメニュー画面から選択された一の種類の出力先に出力する指示である出力指示を受け付けることは好適である。
【００３４】
また、指示は、例えば、表示指示である。表示指示とは、格納部１１の情報を表示する指示である。表示指示は、通常、情報を識別する情報識別子を含む。情報識別子は、例えば、ファイル名、表名等である。
【００３５】
また、指示は、例えば、メニュー画面出力指示である。メニュー画面出力指示とは、出力先の候補の情報を出力する指示である。
【００３６】
また、ここで、受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【００３７】
指示等の入力手段は、キーボードやマウスやタッチパネルやメニュー画面によるもの等、何でも良い。受付部１２は、キーボード等の入力手段のデバイスドライバーや、メニュー画面の制御ソフトウェア等で実現され得る。
【００３８】
認証部１３は、出力先の種類に応じて、認証のための処理を行うまたは認証のための処理を行わない。例えば、認証部１３は、２種類以上の出力先への出力がサーバ装置２への送信の場合、第一の認証方法に対応する認証のための処理を行い、２種類以上の出力先への出力がローカルディスクへの蓄積の場合、認証のための処理を行わない。つまり、認証部１３は、出力先の種類に応じて、認証のための処理を行ったり、行わなかったりしても良い。なお、第一の認証方法とは、例えば、ＩＤとパスワードとを用いた認証、パスワードのみによる認証、指紋等の人体情報を用いた認証等、認証を行う方法であれば、何でも良い。また、２種類以上の出力先への出力とは、サーバ装置２への送信、およびローカルディスクへの蓄積を含むことは好適である。２種類以上の出力先への出力は、例えば、メールサーバへの送信（メール送信）、メール送信するメーラーへの情報の送付、プリンタへの印刷、プリンタドライバへの情報の送付等でも良い。出力とは、最終的な情報出力に繋がる処理でも良く、例えば、図示しないメーラー、メール送信装置、印刷ソフト等へ、情報を引き渡す処理等でも良い。また、認証のための処理とは、認証処理でも良いし、認証のための画面を出力したりする処理、認証のための情報を受け付ける処理、受け付けられた情報の送信等でも良い。つまり、認証処理を行うのは、認証部１３でも、他の装置（例えば、サーバ装置２、図示しない外部装置等）でも良い。
【００３９】
また、認証部１３は、出力先の種類に応じて、異なる認証方法に対応する認証のための処理を行っても良い。例えば、認証部１３は、第一の種類の出力先の場合は、第一の認証方法に対応する認証のための処理を行い、第二の種類の出力先の場合は、第二の認証方法に対応する認証のための処理を行っても良い。
【００４０】
出力部１４は、認証部１３が、出力先の種類に応じて認証のための処理を行わない場合は、出力指示に従って情報を出力する。また、出力部１４は、認証部１３が、出力先の種類に応じて認証のための処理を行う場合であり、認証許可の結果を得た場合は、情報を、一の種類の出力先に出力する。また、出力部１４は、処理後情報を一の種類の出力先に出力しても良い。処理後情報とは、後述する処理部１５が取得した情報である。
【００４１】
出力部１４は、受付部１２が受け付けた表示指示に従って、情報を表示しても良い。表示とは、情報処理装置１が有するディスプレイへの表示でも良いし、外部の表示装置に送付する処理でも良い。
【００４２】
処理部１５は、出力先の種類に応じて、出力指示に対応する情報に処理を施し、処理後情報を取得する。ここで、処理とは、例えば、データ変換する処理、例えば、情報をＰＤＦ化する処理などである。処理とは、例えば、情報を暗号化する処理、パスワードを設定する処理等でも良い。また、処理部１５が行う処理は、２種類以上の処理でも良い。つまり、処理部１５は、例えば、情報をＰＤＦ化した後、暗号化しても良い。
【００４３】
サーバ装置２を構成するサーバ格納部２１は、情報を格納し得る。ここでの情報は、情報処理装置１から受信された情報である。情報は、会計情報または財務情報である業務用の情報であることは好適である。
【００４４】
サーバ受信部２２は、情報処理装置１から情報を受信する。
【００４５】
サーバ蓄積部２３は、サーバ受信部２２が受信した情報をサーバ格納部２１に蓄積する。
【００４６】
サーバ受付部２４は、携帯端末装置３から情報のアクセス命令を受け付ける。ここでの受け付けとは、通常、受信である。
【００４７】
サーバ送信部２５は、サーバ受付部２４が受け付けたアクセス命令に従って、携帯端末装置３に情報を送信する。この送信する情報は、アクセス命令に対応する情報である。
【００４８】
携帯端末装置３を構成する端末受付部３１は、情報のアクセス命令を受け付ける。アクセス命令は、サーバ装置２から情報を取得する命令である。なお、アクセス命令は、ユーザ認証のための情報を有することは好適である。ユーザ認証のための情報は、例えば、ＩＤとパスワード、またはパスワード等である。ユーザ認証のための情報は、問わないことは言うまでもない。また、アクセス命令は、通常、情報を識別する情報を含む。
【００４９】
端末送信部３２は、端末受付部３１が受け付けたアクセス命令を、サーバ装置２に送信する。端末送信部３２は、サーバ装置２と通信するための情報を保持している。この情報は、例えば、サーバ装置２のＩＰアドレス、情報が存在するＵＲＬ等である。
【００５０】
端末受信部３３は、サーバ装置２から情報を受信する。端末受信部３３は、アクセス命令の送信に応じて、アクセス命令に対応する情報を受信する。
【００５１】
端末出力部３４は、端末受信部３３が受信した情報を出力する。ここで、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。
【００５２】
格納部１１、サーバ格納部２１は、不揮発性の記録媒体が好適であるが、揮発性の記録媒体でも実現可能である。格納部１１等に情報等が記憶される過程は問わない。例えば、記録媒体を介して情報等が格納部１１等で記憶されるようになってもよく、通信回線等を介して送信された情報等が格納部１１等で記憶されるようになってもよく、あるいは、入力デバイスを介して入力された情報等が格納部１１等で記憶されるようになってもよい。
【００５３】
認証部１３、処理部１５、サーバ蓄積部２３は、通常、ＭＰＵやメモリ等から実現され得る。認証部１３の処理手順は、通常、ソフトウェアで実現され、当該ソフトウェアはＲＯＭ等の記録媒体に記録されている。但し、ハードウェア（専用回路）で実現しても良い。
【００５４】
出力部１４は、例えば、ＭＰＵやメモリ等、無線または有線の通信手段、放送手段、プリンタのドライバーソフト等により実現され得る。出力部１４は、プリンタ等の出力デバイスを含むと考えても含まないと考えても良い。
【００５５】
サーバ受信部２２、サーバ受付部２４、端末受信部３３は、通常、無線または有線の通信手段で実現されるが、放送を受信する手段で実現されても良い。
【００５６】
サーバ送信部２５、端末送信部３２は、通常、無線または有線の通信手段で実現されるが、放送手段で実現されても良い。
【００５７】
端末出力部３４は、ディスプレイやスピーカー等の出力デバイスを含むと考えても含まないと考えても良い。端末出力部３４は、出力デバイスのドライバーソフトまたは、出力デバイスのドライバーソフトと出力デバイス等で実現され得る。
【００５８】
次に、情報システムの動作について説明する。まず、情報処理装置１の動作について、図３のフローチャートを用いて説明する。
【００５９】
（ステップＳ３０１）受付部１２は、指示等を受け付けたか否かを判断する。指示等を受け付ければステップＳ３０２に行き、指示等を受け付けなければステップＳ３０１に戻る。
【００６０】
（ステップＳ３０２）出力部１４は、ステップＳ３０１で受け付けた指示が表示指示であるか否かを判断する。表示指示であればステップＳ３０３に行き、表示指示でなければステップＳ３０５に行く。
【００６１】
（ステップＳ３０３）出力部１４は、表示指示に対応する情報を、格納部１１から取得する。
【００６２】
（ステップＳ３０４）出力部１４は、ステップＳ３０３で取得した情報を表示する。ステップＳ３０１に戻る。
【００６３】
（ステップＳ３０５）出力部１４は、ステップＳ３０１で受け付けた指示がメニュー画面出力指示であるか否かを判断する。メニュー画面出力指示であればステップＳ３０６に行き、メニュー画面出力指示でなければステップＳ３０９に行く。
【００６４】
（ステップＳ３０６）出力部１４は、格納部１１から、２以上の出力先候補識別子を取得する。
【００６５】
（ステップＳ３０７）出力部１４は、ステップＳ３０６で取得した２以上の出力先候補識別子を用いて、メニュー画面を構成する。
【００６６】
（ステップＳ３０８）出力部１４は、ステップＳ３０７で構成したメニュー画面を出力する。ステップＳ３０１に戻る。
【００６７】
（ステップＳ３０９）出力部１４は、ステップＳ３０１で受け付けた指示が出力指示であるか否かを判断する。出力指示であればステップＳ３１０に行き、出力指示でなければステップＳ３２０に行く。
【００６８】
（ステップＳ３１０）出力部１４は、出力指示が有する出力先候補識別子を取得する。なお、出力指示が有する出力先候補識別子は、選択された出力先候補識別子である。
【００６９】
（ステップＳ３１１）出力部１４は、ステップＳ３１０で取得した出力先候補識別子と対になる処理識別子を、格納部１１の２以上の出力前処理情報から取得する。そして、出力部１４は、処理識別子を取得できたか否かを判断する。処理識別子を取得できればステップＳ３１２に行き、処理識別子を取得できなければステップＳ３１３に行く。
【００７０】
（ステップＳ３１２）処理部１５は、出力先候補識別子と対になる処理識別子に対応する処理を情報に対して実行し、処理後情報を取得する。なお、処理識別子が２以上、存在する場合は、処理部１５は、２以上の処理を行う。
【００７１】
（ステップＳ３１３）出力部１４は、ステップＳ３１０で取得した出力先候補識別子と対になる認証方法識別子を、格納部１１の２以上の出力前処理情報から取得する。そして、出力部１４は、認証方法識別子を取得できたか否かを判断する。認証方法識別子を取得できればステップＳ３１４に行き、認証方法識別子を取得できなければステップＳ３１７に行く。
【００７２】
（ステップＳ３１４）認証部１３は、出力先候補識別子と対になる認証方法識別子で識別される処理であり、認証のための処理を実行する。
【００７３】
（ステップＳ３１５）認証部１３は、ステップＳ３１４における処理の結果である認証結果を取得する。なお、認証部１３は、認証を行った外部装置（例えば、サーバ装置２）から、認証結果を樹脂しても良い。
【００７４】
（ステップＳ３１６）出力部１４は、ステップＳ３１５で取得された認証結果が認証許可か否かを判断する。認証許可であればステップＳ３１７に行き、認証許可でなければステップＳ３１９に行く。
【００７５】
（ステップＳ３１７）出力部１４は、出力先候補識別子に対応する出力先の情報を取得する。
【００７６】
（ステップＳ３１８）出力部１４は、ステップＳ３１７で取得した出力先の情報を用いて、出力先に情報を出力する。なお、情報は、格納部１１に格納されている情報、またはステップＳ３１２で取得された処理後情報である。ステップＳ３０１に戻る。
【００７７】
（ステップＳ３１９）出力部１４は、エラーメッセージを表示する。なお、エラーメッセージは、認証が不許可であった旨を示すメッセージである。ステップＳ３０１に戻る。
【００７８】
（ステップＳ３２０）処理部１５等が、受付部１２が受け付けた指示等に対応する処理を行う。ステップＳ３０１に戻る。
【００７９】
なお、図３のフローチャートにおいて、電源オフや処理終了の割り込みにより処理は終了する。
【００８０】
次に、サーバ装置２の動作について説明する。サーバ装置２のサーバ受信部２２は、情報処理装置１から情報を受信する。そして、サーバ蓄積部２３は、サーバ受信部２２が受信した情報をサーバ格納部２１に蓄積する。また、サーバ受付部２４は、携帯端末装置３から情報のアクセス命令を受け付け、サーバ送信部２５は、サーバ受付部２４が受け付けたアクセス命令に従って、携帯端末装置３に情報を送信する。
【００８１】
次に、携帯端末装置３の動作について説明する。携帯端末装置３の端末受付部３１は、ユーザから、情報のアクセス命令を受け付ける。そして、端末送信部３２は、端末受付部３１が受け付けたアクセス命令を、サーバ装置２に送信する。次に、端末受信部３３は、アクセス命令の送信に応じて、アクセス命令に対応する情報を受信する。次に、端末出力部３４は、端末受信部３３が受信した情報を出力する。
【００８２】
以下、本実施の形態における情報システムの具体的な動作について説明する。情報システムの概念図は図１である。
【００８３】
今、格納部１１には、図４、および図５に示す表が格納されている、とする。これらの表は、業務用の情報の一種であり、会計情報または財務情報と言える表である。図４の表は得意先別商品別売上明細表であり、図５の表は得意先元帳である。
【００８４】
また、格納部１１には、図６に示す出力前処理情報管理表が格納されている。出力前処理情報管理表は、「ＩＤ」「出力先候補識別子」「出力先情報」「認証方法識別子」「処理識別子」を有する１以上のレコードを格納している。「出力先情報」は、情報を出力する先を示す情報であり、情報の出力のための利用される情報である。
【００８５】
かかる状況において、ユーザは、情報処理装置１に得意先元帳の情報識別子を含む表示指示を入力した、とする。次に、受付部１２は、当該表示指示を受け付ける。
【００８６】
次に、出力部１４は、表示指示に対応する得意先元帳を、格納部１１から取得し、ディスプレイに表示する。なお、表示指示の受け付けにより、カレントの表は、得意先元帳となった。
【００８７】
次に、ユーザは、得意先元帳を出力するために、メニュー画面出力指示を入力した、とする。すると、受付部１２は、メニュー画面出力指示を受け付ける。
【００８８】
次に、出力部１４は、図６に示す出力前処理情報管理表から、２以上の出力先候補識別子を取得する。次に、出力部１４は、取得した２以上の出力先候補識別子を用いて、メニュー画面を構成する。出力部１４は、構成したメニュー画面を出力する（図７参照）。
【００８９】
以下、かかる状況において、情報処理装置１の具体的な動作について、以下の３つの具体例を用いて説明する。
【００９０】
（具体例１）
具体例１は、サーバ装置２に情報を送信する場合である。サーバ装置２に情報を送信する場合は、サーバ装置２に情報をアップロードする場合、と捉えても良い。また、サーバ装置２は、いわゆるクラウド上のサーバ装置でも良い。
【００９１】
具体例１において、まず、ユーザは、図７のメニュー画面７１から「サーバ装置に送信」を選択し、「出力開始」ボタン７２を押下した、とする。すると、受付部１２は、出力先候補識別子「サーバ装置に送信」、およびカレントの情報識別子「得意先元帳」を有する出力指示を受け付ける。なお、選択された出力先候補識別子は、出力先の種類を示す情報である。
【００９２】
次に、出力部１４は、出力先候補識別子「サーバ装置に送信」と対になる処理識別子を、出力前処理情報管理表から取得しようとするが、取得できない。
【００９３】
次に、出力部１４は、出力先候補識別子「サーバ装置に送信」と対になる認証方法識別子「ＩＤ・ＰＷ」を取得する。
【００９４】
そして、認証部１３は、認証方法識別子「ＩＤ・ＰＷ」に対応する認証の画面を表示する。この画面の例は、図８である。
【００９５】
次に、ユーザは、図８の認証の画面に対して、認証に必要な情報を入力する。そして、ユーザは、図８の認証の画面の「ＯＫ」ボタン８１を押下する。
【００９６】
次に、認証部１３は、認証に必要な情報および「ＯＫ」ボタン８１の押下を受け付け、認証に必要な処理を行う。ここで、認証に必要な処理は、例えば、認証に必要な情報をサーバ装置２に送信する処理である。なお、出力部１４は、出力先候補識別子「サーバ装置に送信」に対応する出力先情報「１９１．２０６．７６．５４」を取得していた、とする。この出力先情報は、ここでは、出力先であるサーバ装置２のＩＰアドレスである。
【００９７】
次に、当該認証に必要な処理に応じて、認証部１３は、認証許可の認証結果をサーバ装置２から受信した、とする。
【００９８】
次に、出力部１４は、取得された認証結果が認証許可であると判断する。
【００９９】
そして、出力部１４は、取得した出力先情報を用いて、サーバ装置２に情報「得意先元帳」を送信する。
【０１００】
次に、サーバ装置２のサーバ受信部２２は、情報処理装置１から情報「得意先元帳」を受信する。そして、サーバ蓄積部２３は、サーバ受信部２２が受信した情報「得意先元帳」をサーバ格納部２１に蓄積する。
【０１０１】
また、後日、例えば、ユーザが外出先から、携帯端末装置３を用いて、サーバ装置２にアクセスし、情報「得意先元帳」を取得する。なお、かかる情報取得処理は公知技術であるので、詳細な説明は省略する。
【０１０２】
なお、具体例１に、サーバ装置２の記録媒体の中で、情報をアップロードするフォルダ等を指定しても良い（図９の９１参照）。また、具体例１の動作の画面遷移の例を図９に示す。
【０１０３】
（具体例２）
具体例２は、情報をローカルディスクに蓄積する場合である。
【０１０４】
具体例２において、まず、ユーザは、図７のメニュー画面７１から「ローカルディスクに蓄積」を選択し、「出力開始」ボタン７２を押下した、とする。すると、受付部１２は、出力先候補識別子「ローカルディスクに蓄積」、およびカレントの情報識別子「得意先元帳」を有する出力指示を受け付ける。
【０１０５】
次に、出力部１４は、出力先候補識別子「ローカルディスクに蓄積」と対になる処理識別子「ＰＤＦ」を、出力前処理情報管理表から取得する。
【０１０６】
そして、処理部１５は、処理識別子に対応する処理「ＰＤＦ」を情報「得意先元帳」に対して実行し、ＰＤＦ化された「得意先元帳」である処理後情報を取得する。
【０１０７】
次に、出力部１４は、出力先候補識別子「ローカルディスクに蓄積」と対になる認証方法識別子を取得しようとするが、取得できない。
【０１０８】
次に、出力部１４は、出力先候補識別子「ローカルディスクに蓄積」に対応する出力先情報を取得しようとするが、取得できない。そして、出力部１４は、処理後情報を蓄積するフォルダをユーザに問い合わせる画面を出力する。そして、ユーザが指示したフォルダに、処理後情報を蓄積する。
【０１０９】
以上、具体例２において、ローカルディスクに情報を蓄積する場合は、認証のための処理は行われない。
【０１１０】
（具体例３）
具体例３は、情報をメール送信する場合である。
【０１１１】
具体例３において、まず、ユーザは、図７のメニュー画面７１から「メール送信」を選択し、「出力開始」ボタン７２を押下した、とする。すると、受付部１２は、出力先候補識別子「メール送信」、およびカレントの情報識別子「得意先元帳」を有する出力指示を受け付ける。なお、選択された出力先候補識別子は、出力先の種類を示す情報である。
【０１１２】
次に、出力部１４は、出力先候補識別子「メール送信」と対になる処理識別子「ＰＤＦ」および「暗号化」を、出力前処理情報管理表から取得する。
【０１１３】
そして、処理部１５は、処理識別子に対応する処理「ＰＤＦ」を情報「得意先元帳」に対して実行する。また、処理部１５は、ＰＤＦ化した得意先元帳を暗号化する。そして、処理部１５は、「得意先元帳」の処理後情報を取得する。
【０１１４】
次に、出力部１４は、出力先候補識別子「メール送信」と対になる認証方法識別子を取得しようとするが、取得できない。
【０１１５】
次に、出力部１４は、出力先候補識別子「メール送信」に対応する出力先情報「ａａａ＠ｘｘ．ｃｏｍ」を取得する。そして、出力部１４は、処理後情報、および出力先情報「ａａａ＠ｘｘ．ｃｏｍ」を図示しないメーラーに渡す。なお、メーラーを実現するソフトウェアは、例えば、格納部１１に格納されている、とする。
【０１１６】
そして、ユーザは、メーラーを使用して、メールを送信する。なお、送信するメールには、処理後情報が添付ファイルとして付与されている。また、送信先アドレス「ａａａ＠ｘｘ．ｃｏｍ」が既に入力されている（図１０参照）。
【０１１７】
なお、具体例３において、処理部１５は、２以上の処理が可能であることを示した。また、具体例３において、送信先を示すメールアドレスを自動取得したが、メールアドレスを自動取得できなくても良い。
【０１１８】
以上、本実施の形態によれば、情報の２種類以上の出力先の候補が存在する場合、出力先の種類に応じた認証のための処理を行うので、出力先の種類に応じた適切なセキュリティーが確保できる。
【０１１９】
また、本実施の形態によれば、情報の２種類以上の出力先の候補が存在する場合、出力先の種類に応じた情報の加工を行ったうえで、情報を出力できる。
【０１２０】
また、本実施の形態によれば、一のメニュー画面を用いて、複数種類の出力先の種類の候補から、一の種類の出力先が選択可能であるので、出力先の種類に応じた適切なセキュリティーが容易に確保できる。
【０１２１】
さらに、本実施の形態によれば、情報型ワークスタイルによる業務用の情報の取り扱い処理が実現できる。
【０１２２】
なお、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。また、このことは、本明細書における他の実施の形態においても該当する。なお、本実施の形態における情報処理装置を実現するソフトウェアは、以下のようなプログラムである。つまり、このプログラムは、コンピュータを、記録媒体に格納されている情報を出力する指示であり、２種類以上の出力先の候補のうちの一の種類の出力先に出力する指示である出力指示を受け付ける受付部と、前記出力先の種類に応じて、認証のための処理を行うまたは認証のための処理を行わない、または前記出力先の種類に応じて、異なる認証方法に対応する認証のための処理を行う認証部と、前記認証部が、前記出力先の種類に応じて認証のための処理を行わない場合は、前記出力指示に従って前記情報を出力し、前記認証部が、前記出力先の種類に応じて認証のための処理を行う場合であり認証許可の結果を得た場合は、前記情報を、前記一の種類の出力先に出力する出力部として機能させるためのプログラムである。
【０１２３】
上記プログラムにおいて、前記出力先の種類に応じて、前記出力指示に対応する情報に処理を施し、処理後情報を取得する処理部として、さらにコンピュータを機能させ、前記出力部は、前記処理後情報を前記一の種類の出力先に出力するものとして、コンピュータを機能させことは好適である。
【０１２４】
上記プログラムにおいて、前記２種類以上の出力先への出力は、サーバ装置への送信、およびローカルディスクへの蓄積を含み、前記認証部は、前記２種類以上の出力先への出力が前記サーバ装置への送信の場合、第一の認証方法に対応する認証のための処理を行い、前記２種類以上の出力先への出力が前記ローカルディスクへの蓄積の場合、認証のための処理を行わないものとして、コンピュータを機能させことは好適である。
【０１２５】
上記プログラムにおいて、前記２種類以上の出力先の候補のうちの一の種類の出力先は、一のメニュー画面から選択可能であり、前記受付部は、前記一のメニュー画面から選択された一の種類の出力先に出力する指示である出力指示を受け付けるものとして、コンピュータを機能させことは好適である。
【０１２６】
また、図１１は、本明細書で述べたプログラムを実行して、上述した種々の実施の形態の情報処理装置を実現するコンピュータの外観を示す。上述の実施の形態は、コンピュータハードウェア及びその上で実行されるコンピュータプログラムで実現され得る。図１１は、このコンピュータシステム３００の概観図であり、図１２は、システム３００のブロック図である。
【０１２７】
図１１において、コンピュータシステム３００は、ＣＤ−ＲＯＭドライブを含むコンピュータ３０１と、キーボード３０２と、マウス３０３と、モニタ３０４とを含む。
【０１２８】
図１２において、コンピュータ３０１は、ＣＤ−ＲＯＭドライブ３０１２に加えて、ＭＰＵ３０１３と、バス３０１４と、ＲＯＭ３０１５と、ＲＡＭ３０１６と、ハードディスク３０１７とを含む。なお、バス３０１４は、ＭＰＵ３０１３やＣＤ−ＲＯＭドライブ３０１２に接続されている。また、ＲＯＭ３０１５には、ブートアッププログラム等のプログラムが記憶されている。また、ＲＡＭ３０１６は、ＭＰＵ３０１３に接続され、アプリケーションプログラムの命令を一時的に記憶するとともに一時記憶空間を提供するためのものである。また、ハードディスク３０１７は、アプリケーションプログラム、システムプログラム、及びデータを記憶するためのものである。ここでは、図示しないが、コンピュータ３０１は、さらに、ＬＡＮへの接続を提供するネットワークカードを含んでも良い。
【０１２９】
コンピュータシステム３００に、上述した実施の形態の情報処理装置の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０１３０】
プログラムは、コンピュータ３０１に、上述した実施の形態の情報処理装置の機能を実行させるオペレーティングシステム、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０１３１】
なお、上記プログラムにおいて、情報を送信するステップや、情報を受信するステップなどでは、ハードウェアによって行われる処理、例えば、送信するステップにおけるモデムやインターフェースカードなどで行われる処理（ハードウェアでしか行われない処理）は含まれない。
【０１３２】
また、上記プログラムを実行するコンピュータは、単数であってもよく、複数であってもよい。すなわち、集中処理を行ってもよく、あるいは分散処理を行ってもよい。
【０１３３】
また、上記各実施の形態において、一の装置に存在する２以上の通信手段は、物理的に一の媒体で実現されても良いことは言うまでもない。
【０１３４】
また、上記各実施の形態において、各処理（各機能）は、単一の装置（システム）によって集中処理されることによって実現されてもよく、あるいは、複数の装置によって分散処理されることによって実現されてもよい。
【０１３５】
本発明は、以上の実施の形態に限定されることなく、種々の変更が可能であり、それらも本発明の範囲内に包含されるものであることは言うまでもない。
【産業上の利用可能性】
【０１３６】
以上のように、本発明にかかる情報処理装置は、情報の２種類以上の出力先の候補が存在する場合、出力先の種類に応じた適切なセキュリティーが確保できる、という効果を有し、会計情報処理装置等として有用である。
【符号の説明】
【０１３７】
１  情報処理装置
２  サーバ装置
３  携帯端末装置
１１  格納部
１２  受付部
１３  認証部
１４  出力部
１５  処理部
２１  サーバ格納部
２２  サーバ受信部
２３  サーバ蓄積部
２４  サーバ受付部
２５  サーバ送信部
３１  端末受付部
３２  端末送信部
３３  端末受信部
３４  端末出力部
【図１】
2015082211.tif 000003
【図２】
2015082211.tif 000004
【図３】
2015082211.tif 000005
【図６】
2015082211.tif 000006
【図１１】
2015082211.tif 000007
【図１２】
2015082211.tif 000008
【図４】
2015082211.tif 000009
【図５】
2015082211.tif 000010
【図７】
2015082211.tif 000011
【図８】
2015082211.tif 000012
【図９】
2015082211.tif 000013
【図１０】
2015082211.tif 000014